(57)【要約】【課題】展示品の展示位置を容易に高精度に選択して決めることができ、かつ地震に対し展示状態を強固に維持できる耐震展示装置を提供すること。地震の振動による展示品への揺すり力や破壊力を減少させ、減少させた地震の振動すなわち揺すり力や破壊力が展示台と展示品の結合力に作用することによって、結果的に展示品保持の地震に対する耐久力を大きくした耐震展示装置を提供すること。【解決手段】地震の振動強度を吸収する構成の載置台と、前記載置台に埋め込まれたスイッチ式磁性部と、展示物の底面に固着された磁性体部材とを有する耐震展示装置。【選択図】図１
0003175580.tif 000002
【実用新案登録請求の範囲】
【請求項１】
地震の振動強度を吸収する構成の載置台と、
前記載置台に埋め込まれたスイッチ式磁性部と、
展示物の底面に固着された磁性体部材と
を有することを特徴とする耐震展示装置。
【請求項２】
前記載置台が、直交する二つの方向において地震振動を吸収するように構成されたことを特徴とする請求項１に記載の耐震展示装置。
【請求項３】
前記磁性体部材の上面が、さび止め加工されていることを特徴とする請求項１に記載の耐震展示装置。
【請求項４】
前記磁性体部材の上面に、さび止めシートが配置されていることを特徴とする請求項１に記載の耐震展示装置。
【考案の詳細な説明】
【技術分野】
【０００１】
本考案は、仏像等の美術工芸品を、地震等によって基台部に振動があっても、転倒や落下をさせることなく展示し続けることができる耐震展示装置に関する。
【背景技術】
【０００２】
展示場で、地震の際展示品が転倒したり落下したりして破壊損傷することを防ぐため、多くの提案がなされている。
従来の耐震展示装置として、頂板及び中間板を包含する垂直方向緩衝部と、前記中間板及び底板を包含する水平方向緩衝部を有し、前記垂直方向緩衝部は、ねじり方向が互いに逆の一対のねじりばね部を有し、軸線と直交する方向で緩衝するねじりばねを備え、前記水平方向緩衝部は、前記中間板及び前記底板を相対的に水平方向に摺動させる水平方向摺動機構と、前記中間板及び前記底板を互いに引き寄せるように付勢する引っ張りばねとを備えた載置台が提案されている（例えば、特許文献１参照）。
【０００３】
従来の他の耐震展示装置としては、頂部および底部に一対の開口部を対向するように設けた所定高さの支持台を備え、該支持台の頂部側の開口部に、その中央部で突き合わせつつ閉成自在にして、かつ開成自在の二枚一対のシャッター板を配設し、底部側の開口部下方に、緩衝性能を有しかつ容積を調節可能である装飾品等の受け袋の上端開口縁を装着、吊持し、かつ上記シャッター板の駆動装置と震動感知機とを設け、該震動感知機が地震による震動を感知して駆動装置を作動させることでシャッター板を開成するようにしたことを特徴とする地震等から装飾品等を防護する載置台が提案されている（例えば、特許文献２参照）。
【０００４】
さらに、従来の他の耐震展示装置としては、載置面に、物品の中間部断面が嵌合する嵌合孔を設け、該嵌合孔を垂直方向に通過可能であって、垂直下方へ延びた載置シャフトによって支持された載置板と、振動検知手段と、前記中間部断面が前記孔に嵌合するまで前記物品が落下した時、前記載置シャフトを緩衝的に停止させる載置シャフト停止手段と、常時、前記載置板が前記載置面にあるように前記載置シャフトを係止し、前記振動検知手段からの振動検知信号によって前記載置シャフトの係止を解除して、前記載置板及び載置シャフトを落下可能にする係止手段とを設けたことを特徴とする地震等から物品を防護する載置台が提案されている（例えば、特許文献３参照）。
【０００５】
さらに、従来の他の耐震展示装置としては、床上設置体の床上に対する固定状態を固定または移動可能に切替える床上設置体用固定状態切替えシステムにおいて、前記床上に強磁性体部材を設置し、前記床上設置体に吸磁力の大きさを変化させて前記強磁性体部材の表面に着脱自在に取付けられる磁力固定部を設けたことを特徴とする床上設置体用固定状態切替えシステムが提案されている（例えば、特許文献４参照）。
【先行技術文献】
【特許文献】
【０００６】
【特許文献１】特許第３２２２０８２号公報
【特許文献２】特許第３４５８０８９号公報
【特許文献３】特開２００７−２２２４８１号公報
【特許文献４】特開２０１１−１６７２２４号公報
【考案の概要】
【考案が解決しようとする課題】
【０００７】
（従来の耐震展示装置の問題点）
特許文献１に開示された耐震展示装置は、載置台の地震による震動を減少させることはできる。しかし、振動がゼロになるのではなく、強い地震では、重心位置が高い展示物が転倒・落下することは防止できなかった。
【０００８】
特許文献２に開示された耐震展示装置は、展示物を受け入れて転倒・落下を防止するために展示物よりも大きな開口部を有する展示台が必要であり、高さも展示物を収容可能な高さを必要とし、特に仏像等を展示する装置は非常に大きなものとなってしまう問題がある。
【０００９】
特許文献３に開示された耐震展示装置も、転倒・落下を防止するために展示物よりも大きな開口部を有する展示台が必要であり、特に仏像等を展示する装置は非常に大きなものとなってしまう問題がある。また、展示品は展示台の開口部内に落下するため、仏像等の腕、手、足の突出した部分が開口部縁に当たって破損する恐れがあった。
【００１０】
特許文献４に開示された床上設置体用固定状態切替えシステムは、床上設置体を地震を直接受ける床に固定するのであり、床上設置体が地震の振動を直接受けるので、床上設置体が地震の振動によって破壊される恐れについては何ら改善されていない。また、磁力による床と床上設置体の結合力に地震の震動が掛かるので、磁力による床と床上設置体の結合力は非常に大きなものでなければならないという問題がある。
【００１１】
（考案の目的）
本考案は、従来の耐震展示装置の上述した問題に鑑みなされたものであって、展示品の展示位置を容易に高精度に選択して決めることができ、かつ地震に対し展示状態を強固に維持できる耐震展示装置を提供することを目的とする。
本考案は、また、地震の振動による展示品への揺すり力や破壊力を減少させ、減少させた地震の振動すなわち揺すり力や破壊力が展示台と展示品の結合力に作用することによって、結果的に展示品保持の地震に対する耐久力を大きくした耐震展示装置を提供することを目的とする。
【課題を解決するための手段】
【００１２】
本考案は、
地震の振動強度を吸収する構成の載置台と、
前記載置台に埋め込まれたスイッチ式磁性部と、
展示物の底面に固着された磁性体部材と
を有することを特徴とする耐震展示装置である。
【考案の効果】
【００１３】
本考案の耐震展示装置によれば、展示品の展示位置を容易に高精度に選択して決めることができ、かつ地震に対し展示状態を強固に維持できる効果を得ることができる。また、地震の振動による展示品への揺すり力や破壊力を減少させ、減少させた地震の振動すなわち揺すり力や破壊力が展示台と展示品の結合力に作用することによって、結果的に展示品保持の地震に対する耐久力を大きくする効果を得ることができる。
【００１４】
（本考案の実施態様）
上述した耐震展示装置において、前記載置台が、直交する二つの方向において地震振動を吸収するように構成されたことを特徴とする。
【００１５】
上述した耐震展示装置において、前記磁性体部材の上面が、さび止め加工されていることを特徴とする。
【００１６】
上述した耐震展示装置において、前記磁性体部材の上面に、さび止めシートが配置されていることを特徴とする。
【００１７】
いづれの実施態様においても、展示品の展示位置を容易に高精度に選択して決めることができ、かつ地震に対し展示状態を強固に維持できる効果、また、地震の振動による展示品への揺すり力や破壊力を減少させ、減少させた地震の振動すなわち揺すり力や破壊力が展示台と展示品の結合力に作用することによって、結果的に展示品保持の地震に対する耐久力を大きくする効果をより有効に得ることができる。
【図面の簡単な説明】
【００１８】
【図１】本考案の実施形態の耐震展示装置の斜視図である。
【図２】本考案の実施形態の耐震展示装置の免震部の縦断面図である。
【図３】図２の線III−IIIに沿った断面図である。
【図４】本考案の実施形態の耐震展示装置の免震部の水平断面図である。
【図５】本考案の実施形態の耐震展示装置の磁力吸着部の斜視図である。
【図６】本考案の実施形態のスイッチ式磁石の原理説明図である。（ａ）は磁力吸着板の吸着状態を示し、（ｂ）は磁力吸着板の非吸着状態を示す。
【図７】本考案の実施形態の磁力吸着部（非吸着状態）の内部を示す説明斜視図である。
【図８】本考案の実施形態の磁力吸着部（吸着状態）の内部を示す説明斜視図である。
【図９】本考案の実施形態の展示品部１６の側面説明図である。
【考案を実施するための形態】
【００１９】
以下に、本考案の実施形態の耐震展示装置を図に基づいて説明する。耐震展示装置１は、図１に示すように、床または展示基台１１にボルト、接着剤（図示せず）等に固着される免震部１００，免震部１００の上に配置される磁力吸着部２００，磁力吸着部２００の上に配置される展示品部１６からなる。
【００２０】
（免震部）
免震部１００は、図２〜図４に示すように、略同一大きさに形成された頂板１０１と中間板１０２と底板１０３との三枚の板材を有する。上記頂板１０１と中間板１０２及び中間板１０２と底板１０３間には緩衝材１０４、１０５、１０６、１０７を各々配設してあり、該緩衝材１０４、１０５、１０６、１０７によって、上記頂板１０１、中間板１０２、底板１０３は上下方向へ所定の間隔ａ、ｂをおいて連結されている。
【００２１】
上方の緩衝材１０４、１０５は、下方へ圧縮変形可能に、かつ上方へ復帰可能に設けられていて上下方向の振動（縦揺れ）を吸収するように形成されている。下方の緩衝材１０６、１０７は、底板１０３に対し、頂板１０１、中間板１０２が図４に矢印で示した如く、前後左右等、平面的に全方向へ移動可能に、かつ元の位置へ復帰可能に設けられていて平面的な全方向の振動（横揺れ）を吸収するように形成されている。
【００２２】
上記緩衝材１０４は、円筒形状のねじりばね１０４ａを横向きとして、その直径方向の対向部を止め具１０４ｂ、１０４ｂにより頂板１０１裏面と中間板１０２上面に各々固定し、頂板１０１の押下げにより図２に二点鎖線で示した如く、横長楕円形状に圧縮変形され、これによって、上下方向の振動を吸収するように形成されている。
【００２３】
一方、上記緩衝材１０５は、有底状で、周壁に複数のスリットを縦設したゴム製円筒体１０５ａを、上記した頂板１０１と中間板１０２間にあって、その一方（図示例では中間板）にボルト・ナット１０５ｂにて固定し、頂板１０１の下方への押圧によって、図１に二点鎖線で示した如く、横方向外側へ圧縮変形し、これによって上下方向の振動を吸収するように形成されている。
【００２４】
また、上記した下方の緩衝材１０６、１０７のうち、一方の緩衝材１０６は、図２〜図４に示すように、中間板１０２の裏面と、底板１０３の上面に、二本で一対のガイドロッド１０６ａ、１０６ａ、１０６ｂ、１０６ｂを一定の間隔をおいて並行に、かつガイドロッド１０６ａ、１０６ａと１０６ｂ、１０６ｂを直角配置に架設し、該各ガイドロッド１０６ａ、１０６ａ、１０６ｂ、１０６ｂに、図示しないベアリングを内装してなる二個一対の摺動子１０６ｃ、１０６ｃ、１０６ｃ、１０６ｃ、１０６ｄ、１０６ｄ、１０６ｄ、１０６ｄを摺動自在に外装し、該摺動子１０６ｃ・・・１０６ｄを、上記両ガイドロッド１０６ａ、１０６ａと１０６ｂ、１０６ｂ間において移動板１０６ｅに各々固定し、これによって、底板１０３に対し、頂板１０１、中間板１０２が図４において前後、左右等、つまり平面的に全方向へ移動して全方向の振動を吸収するように形成されている。
【００２５】
上記した各ガイドロッド１０６ａ・・・１０６ｂは、両端部を中間板１０２と底板１０３にビス止め等によって固定垂設された支持金具１０６ｆ、１０６ｆ・・・に固定して上記中間板１０２、底板１０３の各板面から所定寸法だけ離間されている。
【００２６】
他方の緩衝材１０７・・・は図２及び図４に示したように、中間板１０２と底板１０３の左右両端部間へ引張りばね１０７ａ、１０７ａを張設し、底板１０３に対する頂板１０１、中間板１０２の横移動が、上記引張りばね１０７ａ、１０７ａが伸長して行なわれると共に、当該引張りばね１０７ａ、１０７ａの張力によって頂板１０１、中間板１０２が図２に実線で示した予め設定されている位置に復帰されるように形成されている。つまり、当該緩衝材１０７と上記した緩衝材１０６との相乗作用によって横方向の振動が吸収されるように構成されている。
【００２７】
上方の緩衝材１０４、１０５は図示した実施形態が示したねじりばね１０４ａ、ゴム製円筒体１０５ａに限定されることはなく、中間板１０２に対して頂板１０１の上下振動を吸収可能な公知の弾性材料を使用することができる。また、下方の緩衝材１０６、１０７も図示した実施形態のようなガイドロッド１０６ａ、１０６ｂ、摺動子１０６ｃ、１０６ｄ及び引張りばね１０７ａに限ることはなく、底板１０３に対して頂板１０１、中間板１０２の横方向振動を吸収できる公知の弾性材料を使用することができる。
【００２８】
さらに、上記した頂板１０１は、展示品部１６に相応しい形態とすることができる。
【００２９】
以上に構成の免震部１００は、頂板１０１、中間板１０２、底板１０３を、各々上下に間隔をおいて連結した上方の緩衝材１０４、１０５と、下方の緩衝材１０６、１０７とによって、地震発生時における上下の振動（縦揺れ）と横方向の振動（横揺れ）とを吸収することができ、底板１０３の受けた地震が、その震度を減衰させて頂板１０１へ伝えられる。
【００３０】
（磁力吸着部）
磁力吸着部２００は、図５に示すように、載置台２０１に設けた矩形の磁石孔２０２に、間隔をおいて位置決めされた二つのスイッチ式磁石２０４を有する。
【００３１】
スイッチ式磁石２０４は、図６にその原理説明断面図に示すように、一対の磁性体の鉄ヨーク２１０を非磁性体のスペーサ部材２１４によって結合し、スペーサ部材２１４を切断し鉄ヨーク２１０に切り込む円柱孔２２０を設けている。円柱孔２２０には、円柱形に形成した円柱形永久磁石２２２が回転可能に嵌入されている。
【００３２】
スイッチ式磁石２０４において、図６の（ａ）に示すように、円柱形永久磁石２２２がそのＳ極とＮ極を結ぶ線を水平にして各極が一対の磁性体の鉄ヨーク２１０に嵌入する状態になると、円柱形永久磁石２２２の磁力線Ｍは、Ｎ極から出て、一方の鉄ヨーク２１０を通過して磁力吸着板２３０に入り、他方の鉄ヨーク２１０を通ってＳ極に戻り、鉄ヨーク２１０が磁力吸着板２３０を吸着する。
【００３３】
スイッチ式磁石２０４において、図４の（ｂ）に示すように、円柱形永久磁石２２２がそのＳ極とＮ極を結ぶ線を垂直にして各極が一対の鉄ヨーク２１０磁性体の間にある状態になると、円柱形永久磁石２２２の磁力線Ｍは、それぞれの鉄ヨーク２１０内を通過して戻り、鉄ヨーク２１０が磁力吸着板２３０を吸着しない。
【００３４】
スイッチ式磁石２０４は、図７に示すように、円柱形永久磁石２２２を円柱中心を中心に回転させるための揺動アーム２３２と、二つの揺動アーム２３２を連結して円柱形永久磁石２２２を一緒に回転させるための連結バー２３６とを有する。連結バー２３６は、二つの揺動アーム２３２を連結したのとは反対側の端部に磁性固定バー２３８が折り曲げ可能に連結されている。
【００３５】
連結バー２３６及び磁性固定バー２３８は、図７及び図８に示すように、以下のようにその長さが決められている。図７に示すように、揺動アーム２３２が円柱形永久磁石２２２をＳ極とＮ極を結ぶ線を垂直にして鉄ヨーク２１０が磁力吸着板２３０を吸着しない状態になっているとき、連結バー２３６は載置台ハウジング２４０内にあり、固定バー２３８のみが載置台ハウジング２４０から突出する。
【００３６】
図８に示すように、揺動アーム２３２が円柱形永久磁石２２２をＳ極とＮ極を結ぶ線を水平にして鉄ヨーク２１０が磁力吸着板２３０を吸着する状態になっているとき、連結バー２３６の先端の一部及び磁性固定バー２３８が載置台ハウジング２４０から突出する。この状態で、磁性固定バー２３８は、載置台ハウジング２４０の外壁に固着された保持永久磁石体２４２によって吸着させることができ、保持永久磁石体２４２はその位置を所定の吸着力によって保持する。
【００３７】
（展示品部）
展示品部１６は、図９に示すように、仏像等の展示品３００の底面に鉄板等の磁力吸着板２３０を取り付けてなる。磁性板３０２の展示品３００側の面は、展示品３００の腐食等を防ぐため錆止め処理がなされる。錆止め処理に代えて、ビス止めすることも、磁性板３０２と展示品３００の間にビニールシートを介在させることも有効である。
【００３８】
（作動）
上述した構成の耐震展示装置１において、磁性固定バー２３８を保持永久磁石体２４２から外し、連結バー２３６を載置台ハウジング２４０内へ押し込む。これにより、揺動アーム２３２が円柱形永久磁石２２２をＳ極とＮ極を結ぶ線を垂直にして鉄ヨーク２１０が磁力吸着板２３０を吸着しない状態になる。この状態で、載置台ハウジング２４０の上で磁力吸着されていない展示品部１６を自由に動かして所望の展示位置に位置決めする。
【００３９】
展示品部１６の展示位置が決まったら、磁性固定バー２３８を引出し、揺動アーム２３２が円柱形永久磁石２２２をＳ極とＮ極を結ぶ線を水平にして鉄ヨーク２１０が磁力吸着板２３０を吸着する状態にする。連結バー２３６の先端の一部及び磁性固定バー２３８が載置台ハウジング２４０から突出し、磁性固定バー２３８を載置台ハウジング２４０の外壁に固着された保持永久磁石体２４２によって吸着させて、鉄ヨーク２１０が磁力吸着板２３０を吸着する状態を固定する。
【符号の説明】
【００４０】
１                耐震展示装置
１１              展示基台
１６              展示品部
１００            免震部
１０１            頂板
１０２            中間板
１０３            底板
１０４、１０５、１０６、１０７    緩衝材
２００            磁力吸着部
２０１            載置台
２０２            磁石孔
２０４            スイッチ式磁石
２１０            鉄ヨーク
２１４            スペーサ部材
２２０            円柱孔
２２２            円柱形永久磁石
２３０            磁力吸着板
２３２            揺動アーム
２４０            載置台ハウジング
【図１】
0003175580.tif 000003
【図２】
0003175580.tif 000004
【図３】
0003175580.tif 000005
【図４】
0003175580.tif 000006
【図５】
0003175580.tif 000007
【図６】
0003175580.tif 000008
【図７】
0003175580.tif 000009
【図８】
0003175580.tif 000010
【図９】
0003175580.tif 000011